(57)【特許請求の範囲】
【請求項１】
所定方向に沿って複数配置された生育部で生育される対象物に風を提供する風力装置であって、
前記所定方向に沿って、移動経路にわたって往復移動が可能な移動手段であって、前記往復移動の周期が調整可能に構成されている、移動手段と、
前記移動手段に従って移動するように構成された１以上の送風機と
を備える、風力装置。
【請求項２】
前記移動経路は、少なくとも第１の区間と、第２の区間とを含み、
前記１以上の送風機は、前記第１の区間を往復移動する１以上の第１の送風機と、前記第２の区間を往復移動する１以上の第２の送風機とを含み、
前記第２の送風機の往復移動の周期は、前記第１の送風機の往復移動の周期より短い、請求項１に記載の風力装置。
【請求項３】
前記第１の送風機の移動速度と前記第２の送風機の移動速度とは略等しい速度であり、
前記第１の区間の距離は、前記第２の区間の距離よりも長い、請求項２に記載の風力装置。
【請求項４】
前記第１の区間の距離と、前記第２の区間の距離とは略等しい距離であり
前記第２の送風機の移動速度は、前記第１の送風機の移動速度よりも速い、請求項２に記載の風力装置。
【請求項５】
前記複数の生育部は、前記所定方向に沿う一対の列を備え、
前記１以上の送風機は、前記一対の列の間に設けられ、一方側の列の前記生育部への送風を行う一方側の送風機と、他方側の列の前記生育部への送風を行う他方側の送風機とを含む、請求項１〜４のいずれか一項に記載の風力装置。
【請求項６】
前記一方側の送風機と前記他方側の送風機とは、前記移動手段に従って一体となって移動する、請求項５に記載の風力装置。
【請求項７】
前記移動手段は、一方側の移動手段と、他方側の移動手段とを備え、
前記一方側の送風機は、前記一方側の移動手段に従って移動し、
前記他方側の送風機は、前記他方側の移動手段に従って移動する、請求項５に記載の風力装置。
【請求項８】
前記一方側の移動手段と前記他方側の移動手段とは独立して移動する、請求項７に記載の風力装置。
【請求項９】
前記生育部は、移動可能な栽培ラックを有し、前記栽培ラックは、上下方向に複数の栽培棚を有する、請求項１〜８のいずれか一項に記載の風力装置。
【請求項１０】
前記送風機は、前記栽培棚の数に一対一対応するように上下方向に複数有する、請求項９に記載の風力装置。
【請求項１１】
所定方向に沿って複数配置された生育部と、
請求項１〜１０のいずれか一項に記載の風力装置と
を備えた、生育システム。
【請求項１２】
前記生育部は移動可能な栽培ラックを有し、前記栽培ラックは、栽培物の生育状態に基づき所定方向に沿って移動するラック移動手段を備える、請求項１１に生育システム。
【発明の詳細な説明】
【技術分野】
【０００１】
本発明は、風力装置および生育システムに関し、特に、所定の経路に沿って複数配置された生育部で生育される対象物に風を提供する風力装置およびこのような風力装置を備えた生育システムに関するものである。
【背景技術】
【０００２】
従来から、屋内で野菜などの植物や、きのこなどの菌類を生育する場合には屋内の温度や湿度の管理に空調装置が用いられている。特許文献１にはこのような空調装置が開示されている。
【０００３】
また、屋内で生育される対象物が植物や菌類などの栽培物の場合は、一般的に播種、育苗、定植、収穫という工程を経て出荷されるが、このような工程を含む対象物の生育には専用のラック（栽培ラック）が用いられる。
【０００４】
ところが、所定方向に複数配列された栽培ラック内で空気と二酸化炭素の偏りが生じて栽培物の成長が阻害されるという課題があった。
【先行技術文献】
【特許文献】
【０００５】
【特許文献１】特開平７−３１２９８５号公報
【発明の概要】
【発明が解決しようとする課題】
【０００６】
本発明は、所定方向に複数配列された生育部内で空気と二酸化炭素の偏りが生ずるのを効果的に抑制することが可能な風力装置およびこのような風力装置を備えた生育システムを得ることを目的とする。
【課題を解決するための手段】
【０００７】
本発明は、以下の項目を提供する。
【０００８】
（項目１）
所定方向に沿って複数配置された生育部で生育される対象物に風を提供する風力装置であって、
前記所定方向に沿って、移動経路にわたって往復移動が可能な移動手段であって、前記往復移動の周期が調整可能に構成されている、移動手段と、
前記移動手段に従って移動するように構成された１以上の送風機と
を備える、風力装置。
【０００９】
（項目２）
前記移動経路は、少なくとも第１の区間と、第２の区間とを含み、
前記１以上の送風機は、前記第１の区間を往復移動する１以上の第１の送風機と、前記第２の区間を往復移動する１以上の第２の送風機とを含み、
前記第２の送風機の往復移動の周期は、前記第１の送風機の往復移動の周期より短い、項目１に記載の風力装置。
【００１０】
（項目３）
前記第１の送風機の移動速度と前記第２の送風機の移動速度とは略等しい速度であり、
前記第１の区間の距離は、前記第２の区間の距離よりも長い、項目２に記載の風力装置。
【００１１】
（項目４）
前記第１の区間の距離と、前記第２の区間の距離とは略等しい距離であり
前記第２の送風機の移動速度は、前記第１の送風機の移動速度よりも速い、項目２に記載の風力装置。
【００１２】
（項目５）
前記複数の生育部は、前記所定方向に沿う一対の列を備え、
前記１以上の送風機は、前記一対の列の間に設けられ、一方側の列の前記生育部への送風を行う一方側の送風機と、他方側の列の前記生育部への送風を行う他方側の送風機とを含む、項目１〜４のいずれか一項に記載の風力装置。
【００１３】
（項目６）
前記一方側の送風機と前記他方側の送風機とは、前記移動手段に従って一体となって移動する、項目５に記載の風力装置。
【００１４】
（項目７）
前記移動手段は、一方側の移動手段と、他方側の移動手段とを備え、
前記一方側の送風機は、前記一方側の移動手段に従って移動し、
前記他方側の送風機は、前記他方側の移動手段に従って移動する、項目５に記載の風力装置。
【００１５】
（項目８）
前記一方側の移動手段と前記他方側の移動手段とは独立して移動する、項目７に記載の風力装置。
【００１６】
（項目９）
前記生育部は、移動可能な栽培ラックを有し、前記栽培ラックは、上下方向に複数の栽培棚を有する、項目１〜８のいずれか一項に記載の風力装置。
【００１７】
（項目１０）
前記送風機は、前記栽培棚の数に一対一対応するように上下方向に複数有する、項目９に記載の風力装置。
【００１８】
（項目１１）
所定方向に沿って複数配置された生育部と、
項目１〜１０のいずれか一項に記載の風力装置と
を備えた、生育システム。
【００１９】
（項目１２）
前記生育部は移動可能な栽培ラックを有し、前記栽培ラックは、栽培物の生育状態に基づき所定方向に沿って移動するラック移動手段を備える、項目１１に生育システム。
【発明の効果】
【００２０】
本発明によれば、所定方向に複数配列された生育部内で空気と二酸化炭素の偏りが生ずるのを抑制することが可能な風力装置およびこのような風力装置を備えた生育システムを得ることができる。
【図面の簡単な説明】
【００２１】
【図１】図１は、本発明の実施形態１による風力装置１００および生育システム１１００を説明するための斜視図であり、風力装置１００および栽培ラック１０を備えた生育システム１１００の外観を示している。
【図２】図２は、図１に示す生育システム１１００を説明するための平面図であり、図２（ａ）は、図１のＡ方向から見た生育システム１１００の構造を示し、図２（ｂ）は、図１のＢ方向から見た生育システム１１００の構造を示す。
【図３】図３は、図１に示す風力装置１００を具体的に説明するための斜視図であり、図３（ａ）は、風力装置１００を生育部（栽培ラック）１０とともに示し、図３（ｂ）は、図３（ａ）に示される栽培トレー１を拡大して示している。
【図４】図４は、図１に示す風力装置１００の変形例（風力装置１００ａ）を説明するための斜視図であり、風力装置１００ａを生育部（栽培ラック）１０とともに示している。
【図５】図５は、図１に示す風力装置１００の移動手段１２０の構成の一例を模式的に示す図である。
【図６】図６は、本発明の実施形態２による風力装置２００および生育システム１２００を説明するための斜視図であり、風力装置２００および生育部（栽培ラック）１０を含む生育システム１２００の外観を示している。
【図７】図７は、図６に示す生育システム１２００を説明するための平面図であり、図７（ａ）は、図６のＡ方向から見た生育システム１２００の構造を示し、図７（ｂ）は、図６のＢ方向から見た生育システム１２００の構造を示す。
【図８】図８は、本発明の実施形態３による風力装置３００および生育システム１３００を説明するための斜視図であり、風力装置３００および生育部（栽培ラック）１０を含む生育システム１３００の外観を示している。
【図９】図９は、図８に示す生育システム１３００を説明するための上面図であり、図８のＡ方向から見た生育システム１３００の構造を示している。
【図１０】図１０は、図８に示す生育システム１３００を説明するための側面図であり、図８のＢ方向から見た生育システム１３００の構造を示している。
【図１１】図１１は、図８に示す風力装置３００の変形例（風力装置３００ａ）および生育システム１３００の変形例（生育システム１３００ａ）を説明するための斜視図である。
【図１２】図１２は、図１１に示す生育システム１３００ａを説明するための上面図であり、図１１のＡ方向から見た生育システム１３００ａの構造を示している。
【図１３】図１３は、図１１に示す生育システム１３００ａを説明するための側面図であり、図１１のＢ方向から見た生育システム１３００ａの構造を示している。
【発明を実施するための形態】
【００２２】
本発明は、所定方向に複数配列された生育部内で空気と二酸化炭素の偏りが生ずるのを効果的に抑制することが可能な風力装置およびこのような風力装置を備えた生育システムを提供することを課題とし、
所定方向に沿って複数配置された生育部で生育される対象物に風を提供する風力装置であって、
所定方向に沿って、移動経路にわたって往復移動が可能な移動手段であって、往復移動の周期が調整可能に構成されている、移動手段と、
移動手段に従って移動するように構成された１以上の送風機と
を備える、風力装置を提供することにより、上記の課題を解決したものである。
【００２３】
従って、本発明の風力装置は、複数の生育部の配列方向である所定方向に沿って移動経路を往復移動可能な移動手段と、移動手段に従って移動する１以上の送風機とを有し、移動手段が往復移動の周期を調整可能なものであればその他の構成は特に限定されるものではなく、任意であり得る。また、送風機は、生育部で生育される対象物に提供する風を発生させるものであれば、具体的な構成は限定されるものではなく、任意であり得る。
【００２４】
本発明の生育システムは、このような風力装置を複数の生育部とともに備えたものである。ここで、生育部は、生育部外から生育部内に風が通ることが可能であれば、その他の構成は限定されない。
【００２５】
以下、生育部、移動手段、および送風機を詳しく説明する。
【００２６】
（対象物）
対象物は生育部で生育されるものであれば任意であり得る。例えば、豚や鶏などの動物であってもよいし、レタス、ルッコラ、キャベツ、白菜などの野菜であってもよいし、いちごなどの果物であってもよいし、菌類（しいたけ、しめじ、マイタケなど）であってもよい。
【００２７】
（生育部）
生育部は、生育される対象物が配置可能であれば任意の形態であり得る。動物などを生育する場合は、生育部は単に空間であってもよいし、動物を囲うケージなどを有していてもよい。また、生育する対象物が植物、果物、菌類などの栽培物の場合は、生育部に栽培ラックを有していてもよい。栽培ラックは、栽培物を収容した容器（栽培容器）を載せる複数の栽培棚を有するものであることが好ましい。この場合、栽培ラックでは、複数の栽培容器を収容可能となる。ここで、好ましくは、栽培棚は栽培ラックの上下方向に複数設けられている。栽培棚を栽培ラックの上下方向に複数設けることにより、屋内での栽培ラックの占有面積を拡張することなく、栽培物の配置スペース（具体的には、栽培容器の配置スペース）を確保することができる。
【００２８】
また、生育部（栽培ラックなど）は、所定位置に固定された物であってもよいし、移動可能であってもよい。また、移動可能な生育部は、好ましくは、対象物の生育状態に応じて所定方向の移動経路に従って移動するものである。そのような生育部（栽培ラックなど）を用いることで対象物の播種から収穫までを流れ作業で効率よく行うことができる。
【００２９】
（生育部の配列）
複数の生育部は、所定方向に沿って列をなすものであれば任意の形態であり得る。例えば、一列であってもよいし、複数列であってもよい。例えば、生育部の所定方向に沿った複数列の配列の一例としては、二列の配列であり、この場合、後述する風力装置を挟んで相対向する一対の配列が好ましい。
【００３０】
（風力装置の送風機）
風力装置の送風機は、生育部で生育される対象物に提供する風を起こすものであれば、任意の構成であり得る。
【００３１】
送風機は、例えば、回転ファンと、その回転ファンを回転させるモータとを有し、回転ファンの回転により生じた風を、生育部で生育される対象物に送るものでもよい。あるいは、送風機は、コンプレッサを有し、コンプレッサで圧縮した空気をノズルから風として、生育部で栽培される対象物に吹き付けるものでもよい。送風機は広範囲に風を送る扇風機であってもよいし、ある範囲で遠くまで風を送るサーキュレータであってもよい。
【００３２】
送風機の台数は特に限定されない。１台でも２台以上であってもよい。また、生育部が栽培ラックを有し、栽培ラックに複数の栽培棚が設けられている場合、送風機は、栽培ラックにおける栽培棚毎に一対一に対応するように設けられていてもよいし、上下あるいは左右に隣接する所定数（例えば、２つ）の栽培棚に対して１つの送風機が設けられていてもよい。ここで、１つの送風機が受け持つ、上下あるいは左右に隣接する栽培ラックの数は、２つに限定されず、３つ以上でもよい。栽培ラックにおける栽培棚毎に一対一に対応するように設けることにより、対象物一つ一つの状態に応じた風を送ることが可能となる。
【００３３】
さらに、複数の生育部が所定方向に沿う一対の列を備える場合、風力装置は、一対の列の間に設けられ、一方側の列の生育部への送風を行う一方側の送風機と、他方側の列の生育部への送風を行う他方側の送風機とを含んでいてもよい。
【００３４】
（風力装置の移動手段）
風力装置の移動手段は、生育部の配列方向である所定方向に沿って移動経路を往復移動可能であって、往復移動の周期が調整可能なものであれば任意の構成であり得る。周期を調整するとは、一つ一つの対象物に風を当てる頻度を調整することを意味する。例えば、周期を長くすれば、一つ一つの対象物に送る風の頻度が多くなり、周期を短くすれば、一つ一つの対象物に送る風の頻度が少なくなる。１つの実施形態において、対象物に風を当てる頻度は、約６０秒／回以上である。
【００３５】
移動手段は、任意の形態であり得る。例えば、駆動輪と、駆動輪を回転させる動力源（例えば、モータ）とを有し、送風機を載せて走行する台車を含むものであってもよい。この場合、台車には、１以上の送風機が取り付けられる。また、移動手段は天井に設けてモノレールタイプのようにして送風機を移動させるようにしてもよい。
【００３６】
この台車は、操舵輪と、所定方向（生育部の配列方向）に沿って配置されたケーブル（電線など）を検出するセンサとをさらに有し、センサの検出出力に基づいて操舵輪を制御することにより、所定方向に沿って移動するものでもよい。センサは、所定の方向に沿って配置されたケーブルではなく、配列されている生育部自体を検出するイメージセンサでもよい。この場合は、台車は、イメージセンサで検出された生育部の映像に基づいて、台車が生育部の配列方向に沿って移動するように操舵輪を制御する操舵制御装置を有する。
【００３７】
あるいは、移動手段は、上記の台車に代えて、所定方向に沿って配置されたガイド部材（例えばガイドレール、ガイド溝など）に従って摺動する摺動部材を含むものであってもよい。移動手段がガイド部材に従って移動する場合、摺動部材は、例えば、永久磁石あるいは電磁石を備え、摺動部材の永久磁石あるいは電磁石とガイド部材に設けられた電磁石とで形成されるリニアモータにより、ガイド部材上を移動するものでもよい。また、摺動部材は、駆動輪とモータとを含み、ガイド部材にガイドされることにより所定方向（生育部の配列方向）に沿って移動するものでもよい。
【００３８】
あるいは、摺動部材は、ガイド部材の両端に回転可能に設けられたスプロケットに巻回されたチェーン、あるいはガイド部材の両端に回転可能に設けられたプーリに巻回されたベルトに接続され、スプロケットやプーリの回転によりガイド部材によりガイドされつつ所定方向に沿って移動するものでもよい。この場合、スプロケットやプーリを回転させるモータは、ガイド部材の両端のうちの少なくとも一方の端に設けられる。
【００３９】
あるいは、ガイド部材の両端部にそれぞれワイヤーを巻き取る電動リールを設け、ガイド部材の一端側の電動リールからのワイヤーを摺動部材の一端側に接続し、かつ、ガイド部材の他端側の電動リールからのワイヤーを摺動部材の他端側に接続し、それぞれの電動リールでワイヤーを巻き取ることにより摺動部材を往復移動させるようにしてもよい。
【００４０】
また、風力装置は摺動部材を往復移動させるために移動方向を反転させる構成も任意であり得る。
【００４１】
摺動部材を往復移動させるには、例えば、摺動部材が移動経路の端にきたときに摺動部材の移動方向を反転させるものであればよく、例えば、移動経路の両端に無接点スイッチや近接スイッチを配置しておき、摺動部材が移動経路の端に近づいたとき、あるいは摺動部材が移動経路の端を到達したときをこれらのスイッチで検出して、摺動部材の移動方向を反転させるようにすればよい。
【００４２】
さらに、本発明の風力装置では、送風機が移動可能であれば、送風機の移動のための構成は特に限定されるものではない。例えば、風力装置では、送風機を移動させる移動手段が上記のとおり送風機とは別に設けられていてもよいし、送風機は、移動手段を内蔵した自走可能な構成のものでもよい。
（風力装置の移動手段の移動経路）
風力装置の移動手段の移動経路は、１以上の区間であれば任意の形態であり得る。例えば、送風機が往復移動する１つの区間であってもよいし、複数の区間に分割されていてもよい。一つの実施形態において、移動経路は、第１の区間と第２の区間とを含んでいる。この場合、風力装置の１以上の送風機は、第１の区間を往復移動する１以上の第１の送風機と、第２の区間を往復移動する１以上の第２の送風機とを含むことが好ましい。  
【００４３】
また、第１の区間を往復移動する第１の送風機の台数は１台でも複数台でもよく、第２の区間を往復移動する第２の送風機の台数は１台でも複数台でもよい。
【００４４】
また、第１の区間および第２の区間での送風機の往復の周期の調整は、任意の形態であり得る。例えば、第１の送風機と第２の送風機とで移動速度を変化させることで達成してもよいし、第１の区間の長さと第２の区間の長さとを変化させることで達成させてもよい。
【００４５】
例えば、第２の送風機の往復移動の周期は、第１の送風機の往復移動の周期より短くてもよい。この場合、例えば、第１の送風機の移動速度と第２の送風機の移動速度とは略等しい速度であり、かつ、第１の区間の距離は、第２の区間の距離よりも長い距離でもよいし、あるいは、第１の区間の距離と第２の区間の距離とは略等しい距離であり、かつ、第２の送風機の移動速度は、第１の送風機の移動速度よりも速い速度であってもよい。
【００４６】
ただし、第２の送風機の往復移動の周期は、第１の送風機の往復移動の周期と同じでもよい。この場合、第１の送風機の移動速度と第２の送風機の移動速度とは略等しい速度であり、かつ、第１の区間の距離と第２の区間の距離とは略等しい距離であってもよいが、第１の区間の距離が第２の区間の距離よりも長く、かつ、第１の送風機の移動速度が、第２の送風機の移動速度よりも速くてもよいし、あるいは、第２の区間の距離が第１の区間の距離よりも長く、かつ、第２の送風機の移動速度が、第１の送風機の移動速度よりも速くてもよい。
【００４７】
このように、第１の区間での第１の送風機の往復の周期と、第２の区間での第２の送風機の往復の周期とを変えることで、生育部が移動する移動経路の上流側と下流側とで対象物に当てる風の頻度を変えることができ、生育部内の対象物の成長に応じた頻度で生育部内の対象物に風を提供することが可能となる。
【００４８】
例えば、第１の区間を移動経路の上流側の区間とし、第２の区間を移動経路の下流側の区間とし、下流側の第２の区間での第２の送風機の往復の周期を、上流側の第１の区間での第１の送風機の往復の周期より短くすることで、上流側での対象物に当てる風の頻度を抑えるとともに、下流側での対象物に当てる風の頻度を高めることができる。このようにすることにより、例えば、対象物が植物や果物であった場合において、上流側の区間に位置する生育部内の植物は播種直後の光合成がまだ行われない時期であるため、植物近傍の二酸化炭素の吸収が少なく酸素の排出が少ない。したがって、空気と二酸化炭素の量の変動が少ない。そのため、風を当てる頻度を少なくすることにより余分な換気のための電力消費を避けることが可能となる。それに対して、下流側の区間に位置する対象物は播種後の一定期間が経過して植物の光合成が盛んに行われる段階であるため、植物近傍の二酸化炭素の減少量が大きく酸素の排出量が大きくなる、その結果、空気と二酸化炭素の量の偏りが大きくなる。そのため、風の当てる頻度を多くすることにより、風に含まれる酸素が供給されるため、植物近傍の空気と二酸化炭素の量の偏りを小さくする。その結果、換気効率を高めることができる。
【００４９】
例えば、対象物が動物であった場合において、上流側の区間に位置する生育部内の動物は、まだ小さく呼吸量および運動量が少ない時期であるため、酸素の吸収が少なく二酸化炭素の排出および運動における体外への放熱が少ない。したがって、空気と二酸化炭素の量の変動が少なく、空気と二酸化炭素の偏りが少ない。また生育部内の温度変化も少ない。そのため、風を当てる頻度を少なくすることにより余分な換気のための電力消費を避けることが可能となる。それに対して、下流側の区間に位置する動物は十分成長し呼吸や運動が盛んに行われる段階であるため、酸素の吸収量が大きく二酸化炭素の排出量および体外への放熱も大きくなる。その結果、空気と二酸化炭素の量の偏りが大きく、また生育部内の温度変化が大きくなる。そのため、風の当てる頻度を多くすることにより、風に含まれる二酸化炭素が供給されるため、空気と二酸化炭素の量の偏りを小さくすることができる。また、風をあてることにより温度上昇した生育部内の温度を下げることができる。その結果、換気効率を高めることができる。なお、温度調整に関して、特に顕著な動物の場合で説明したが、植物や菌類などの栽培物においても同様に温度調整の効果を得ることができる。
【００５０】
例えば、対象物がきのこなどの菌類であった場合において、上流側の区間に位置する生育部内の菌類は播種直後の状態では呼吸量が少ない時期であるため、菌類近傍の酸素の吸収が少なく二酸化炭素の排出が少ない。したがって、空気と二酸化炭素の量の変動が少なく、空気と二酸化炭素の偏りが少ない。そのため、風を当てる頻度を少なくすることにより余分な換気のための電力消費を避けることが可能となる。それに対して、下流側の区間に位置する菌類は播種後の一定期間が経過して呼吸が盛んに行われる段階であるため、酸素の吸収量が大きく二酸化炭素の排出量が大きくなる。その結果、菌類近傍の空気と二酸化炭素の量の偏りが大きくなる。そのため、風の当てる頻度を多くすることにより、風に含まれる二酸化炭素が供給されるため、菌類近傍の空気と二酸化炭素の量の偏りを小さくする。その結果、換気効率を高めることができる。
【００５１】
具体的には、例えば、第１の送風機の移動速度と第２の送風機の移動速度とは略等しい速度とし、上流側の第１の区間の始点から終点までの距離を、下流側の第２の区間の始点から終点までの距離よりも長くすることで、下流側の第２の区間での第２の送風機の往復の周期を、上流側の第１の区間での第１の送風機の往復の周期より短くすることができる。
【００５２】
また、上流側の第１の区間の始点から終点までの距離と、下流側の第２の区間の始点から終点までの距離とは略等しい距離とし、第２の送風機の移動速度を第１の送風機の移動速度よりも速い速度とすることにより、下流側の第２の区間での第２の送風機の往復の周期を、上流側の第１の区間での第１の送風機の往復の周期より短くすることができる。
【００５３】
さらに、上述したように、１以上の送風機が、一方側の列の生育部への送風を行う一方側の送風機と、他方側の列の生育部への送風を行う他方側の送風機とを含む場合、一方側の送風機と他方側の送風機とは、移動手段に従って一体となって移動するようにしてもよい。あるいは、１以上の送風機が一方側の送風機と他方側の送風機とを含む場合、移動手段は、一方側の移動手段と他方側の移動手段とを備え、一方側の送風機は一方側の移動手段に従って移動し、他方側の送風機は他方側の移動手段に従って移動するようにしてもよい。
【００５４】
さらに、移動手段が、一方側の移動手段と他方側の移動手段とを備える場合、一方側の移動手段と他方側の移動手段とは独立して移動するようにしてもよい。ただし、一方側の移動手段と他方側の移動手段とは連動して移動するようにしてもよい。
【００５５】
ただし、以下の実施形態１〜３では、以下のとおり、風力装置の実施形態として、送風機が取り付けられる移動手段と、移動手段の移動をガイドするガイドレールとを有するものを挙げて説明する。生育対象物を植物とし、生育部が栽培ラックを有する場合について説明するが、本発明はこれに限定されない。
【００５６】
実施形態１の風力装置は、２つの送風機が取り付けられた移動手段を備え、所定方向に沿って一列に複数配置された生育部の配列方向に沿って移動手段が往復移動するものである。
【００５７】
実施形態１の変形例の風力装置は、実施形態１の風力装置において、２つの送風機が取り付けられた移動手段に代えて、栽培ラックの４つの栽培棚毎に対応する４つの送風機が取り付けられた移動手段を備えたものである。
【００５８】
実施形態２の風力装置は、それぞれ２つの送風機が取り付けられた独立した２つの移動手段を備え、２つの移動手段のうちの１つの移動手段が移動経路に含まれる第１の区間を往復移動し、２つの移動手段のうちのもう１つの移動手段が移動経路に含まれる第２の区間を往復移動するものである。
【００５９】
実施形態３の風力装置は、二列に並んでいる生育部（移動する栽培ラックを有する）の一対の列の間を移動経路に沿って往復移動する１つの移動手段を備え、移動手段に４つの送風機が取り付けられ、一方の列の生育部（栽培ラック）に２つの送風機で風を提供し、他方の列の生育部（栽培ラック）に残りの２つの送風機で風を提供するものである。
【００６０】
実施形態３の変形例の風力装置は、実施形態３の風力装置における１つの移動手段に代えて、独立して往復移動する２つの移動手段を備え、２つの移動手段がそれぞれ２つの送風機を有し、一方の列の生育部（栽培ラック）に一方の移動手段の２つの送風機で風を提供し、他方の列の生育部（栽培ラック）に他方の移動手段の２つの送風機で風を提供するものである。
【００６１】
以下、本発明の実施形態について図面を参照しながら説明する。
【００６２】
（実施形態１）
図１および図２はそれぞれ、本発明の実施形態１による風力装置１００および生育システム１１００を説明するための図であり、図１は、風力装置１００を備えた生育システム１１００の外観を示し、図２（ａ）は、図１のＡ方向から見た生育システム１１００の構造を示し、図２（ｂ）は、図１のＢ方向から見た生育システム１１００の構造を示す。
【００６３】
実施形態１による風力装置１００は、複数の生育部（栽培ラック）１０で生育される対象物に風を提供する風力装置である。複数の生育部（栽培ラック）１０は、屋内の成育領域（例えば、生育工場の建屋内の領域）Ｒｐ内に所定方向Ｄｍに沿って配置されている。この成育領域Ｒｐ内には、所定方向Ｄｍに沿って配置された複数の生育部（栽培ラック）１０が移動する移動経路（ラック移動経路）Ｐｍが設定されている。
【００６４】
この風力装置１００は、往復移動が可能な移動手段１２０と、移動手段１２０に従って移動するように構成された２つの送風機１３１、１３２とを備えており、成育領域Ｒｐ内には、移動手段１２０が２つの送風機１３１、１３２とともに所定方向Ｄｍに沿って往復移動する送風機移動経路Ａｍが設定されている。ここで、移動手段１２０は、送風機移動経路Ａｍでの往復移動の周期を調整可能に構成されている。
【００６５】
以下、栽培ラック１０、移動手段１２０、および送風機１３１、１３２の具体的な構成を説明する。
【００６６】
図３は、図１に示す風力装置１００を具体的に説明するための斜視図であり、図３（ａ）は、風力装置１００を栽培ラック１０とともに示し、図３（ｂ）は、図３（ａ）に示される栽培容器１を拡大して示している。
【００６７】
この風力装置１００は、送風機移動経路Ａｍに配置されたガイドレール１１０をさらに備えており、移動手段１２０は、ガイドレール１１０に対してその上を摺動するように設けられている摺動部材１２１と、摺動部材１２１上に固定された支持部材１２２とを有している。支持部材１２２には、２つの送風機１３１、１３２で発生した風Ｗが、ラック移動経路Ｐｍを移動する栽培ラック１０に収容されている対象物に提供されるように２つの送風機１３１、１３２が上下に並べて取り付けられている。
【００６８】
ここで、風力装置１００は必ずしもガイドレール１１０を有するものである必要はなく、風力装置１００では、移動手段１２０は送風機移動経路Ａｍに沿って往復移動可能なものであればよい。例えば、移動手段１２０は、送風機移動経路Ａｍに沿って敷設された電線などのケーブルを検出して送風機移動経路Ａｍを往復移動するものでもよい。この場合、移動手段１２０は、車輪２１および２２のいずれかに操舵輪として機能を持たせ、制御部２５が送風機移動経路Ａｍに沿って移動するように操舵輪を操舵するものでもよい。
【００６９】
さらに、２つの送風機１３１、１３２の構成は限定されるものではないが、ここでは、送風機１３１、１３２は同じタイプの送風機であり、回転するファン３０と、ファン３０を回転させる駆動モータ（図示せず）とを有している。ただし、送風機１３１、１３２は、ファンを用いたものに限定されず、コンプレッサで圧縮した空気をノズルから吹き出すものでもよい。また、送風機１３１、１３２は、異なるタイプの送風機であり、時間当たりに発生する風量や風速が異なるものでもよい。
【００７０】
なお、栽培ラック１０は、図３（ａ）に示すように、対象物Ｌｐを栽培するための栽培容器１を載せる４つの栽培棚１１〜１４を有しており、風力装置１００の下側の送風機１３１が、栽培ラック１０の下２段の栽培棚１１、１２に置かれた栽培容器１の対象物Ｌｐに風Ｗを提供し、風力装置１００の上側の送風機１３２が、栽培ラック１０の上２段の栽培棚１３、１４に置かれた栽培容器１の対象物Ｌｐに風Ｗを提供するようになっている。さらに、この栽培ラック１０は、底面部に移動用のキャスタ１５が取り付けられており、作業者が手動で走行させることが可能な構造となっている。ただし、栽培ラック１０は、移動用のキャスタに代わる電動の駆動輪を有し、栽培ラック１０が一旦ラック移動経路Ｐｍに導入されると、電動の駆動輪の間欠駆動によりラック移動経路Ｐｍをその始点から終点に向かって移動するものでもよい。
【００７１】
また、栽培容器１は、図３（ｂ）に示すように、対象物である種や苗を収容する収容凹部２ａを有する栽培パレット２と、栽培パレット２の植物に供給する養液を溜める栽培トレー３とを有し、栽培パレット２が栽培トレー３に着脱可能に構成されている。
【００７２】
ところで、移動手段１２０の支持部材１２２に取り付けられる送風機１３１、１３２の台数は上述した２台に限定されるものではなく、１台でも３台以上でもよい。
【００７３】
例えば、風力装置１００では、送風機は複数の栽培棚を有する栽培ラック１０の栽培棚毎に設けられていてもよい。
【００７４】
（実施形態１の変形例）
図４は、図１に示す風力装置１００の変形例（風力装置１００ａ）を説明するための斜視図であり、風力装置１００ａを栽培ラック１０とともに示している。
【００７５】
図４に示す風力装置１００ａは、４台の送風機１３１ａ、１３２ａ、１３３ａ、１３４ａを有しており、その他の構成は、図３に示す風力装置１００におけるものと同一である。
【００７６】
具体的には、この風力装置１００ａでは、移動手段１２０の支持部材１２２には、栽培ラック１０における４つの栽培棚１１〜１４の各々に一対一に対応するように上下方向に沿って４つの送風機１３１ａ〜１３４ａが取り付けられている。
【００７７】
このような構成の風力装置１００ａでは、支持部材１２２に下から順に設けられた４つの送風機１３１ａ〜１３４ａがそれぞれ、栽培ラック１０の１段目〜４段目の栽培棚１１〜１４に置かれた栽培容器１の対象物Ｌｐに風Ｗを提供することとなり、４段の栽培棚１１〜１４を有する栽培ラック１０の各栽培棚に置かれた栽培容器１の対象物に効果的に風Ｗを提供することが可能である。
【００７８】
また、実施形態１の風力装置１００あるいはその変形例の風力装置１００ａにおける移動手段１２０の具体的な構成は特に限定されるものではないが、以下、その具体的な構成の一例を説明する。
【００７９】
図５は、図１に示す風力装置１００の移動手段１２０の構成の一例を模式的に示す図である。
【００８０】
移動手段１２０は、ガイドレール１１０にスライド可能に取付けられた摺動部材１２１と、摺動部材１２１に取り付けられた一対の車輪２１、２２と、これらの車輪２１、２２を回転させる駆動モータ２３と、送風機移動経路Ａｍの端（ガイドレール１１０の端部）を検出して端部検出信号を出力するセンサ２４と、駆動モータ２３を制御する制御部２５とを有している。ここでは、駆動モータ２３、センサ２４、および制御部２５は、例えば、支持部材１２２に搭載されている。ただし、駆動モータ２３、センサ２４、および制御部２５は、例えば、摺動部材１２１に搭載されていてもよい。制御部２５は、移動手段１２０の外部に設けられた風力装置１００の操作部２６からの操作信号を受信するように構成されている。この操作部２６は、移動手段１２０を構成する摺動部材１２１あるいは支持部材１２２に設けられていてもよい。
【００８１】
制御部１２５は、風力装置１００の操作部２６における電源スイッチ（図示せず）がオンされると、駆動モータ２３の回転により車輪２１、２２を所定の回転方向に回転させることにより摺動部材１２１をガイドレール１１０に沿って移動させ、摺動部材１２１が送風機移動経路Ａｍのどちらかの端に近づいたとき、センサ２４からの端部検出信号に基づいてモータ２３を逆回転させるものである。さらに、制御部２５は、モータ２３の回転速度を風力装置１００の操作部２６からの操作信号により調整可能に構成されている。なお、駆動モータ２３には移動手段１２０の外部から電源ケーブルなどにより電源が供給される。ただし、駆動モータ２３の電源は移動手段１２０に内蔵されたバッテリーでもよい。
【００８２】
次に本実施形態１の風力装置１００を備えた生育システム１１００の作用効果を説明する。
【００８３】
このような構成の風力装置１００を備えた生育システム１１００では、対象物（例えば、植物、果物、菌類）の種がまかれた栽培容器１を各栽培棚１１〜１４に収容した栽培ラック１０が順次、成育領域（例えば、栽培工場の建屋）Ｒｐ内に導入されると、栽培ラック１０は所定方向Ｄｍに沿ってラック移動経路Ｐｍ上に並べられる。ラック移動経路Ｐｍ上に並べられた複数の栽培ラック１０は、例えば、一定時間毎に一定距離だけラック移動経路Ｐｍを作業者によって手動で移動させられることにより、ラック移動経路Ｐｍの始点から終点に向かって移動する。なお、栽培ラック１０が移動用のキャスタ１５に代わる電動の駆動輪を有するものである場合は、上述したように、栽培ラック１０は一旦ラック移動経路Ｐｍに導入されると、ラック移動経路Ｐｍをその始点から終点に向かって電動の駆動輪の間欠駆動によりラック移動経路Ｐｍを移動することとなる。
【００８４】
このように栽培ラック１０がラック移動経路Ｐｍをその始点から終点に向かって移動する間に、風力装置１００の移動手段１２０がガイドレール１１０上を往復移動する。この移動手段１２０の往復移動により移動手段１２０の支持部材１２２に取り付けられている２つの送風機１３１、１３２も送風機移動経路Ａｍの往復区間Ｒｓにわたって往復移動する。
【００８５】
これにより、ラック移動経路Ｐｍを移動中の複数の栽培ラック１０内に、移動手段１２０に取り付けられている２つの送風機１３１、１３２から風Ｗが提供されることとなり、これにより、栽培ラック１０の各栽培棚１１に置かれている栽培容器１内の対象物Ｌｐの周辺の雰囲気が換気される。
【００８６】
また、移動手段１２０では、必要に応じて、風力装置１００の操作部１２６からの操作信号により駆動モータ２３の回転速度が調整され、移動手段１２０は適切な速度で送風機移動経路Ａｍの往復区間Ｒｓを往復移動することとなり、往復移動の周期が最適な周期となる。
【００８７】
これにより、栽培ラック１０の各栽培棚１１に収納されている対象物Ｌｐの成育状況に応じて、つまり、栽培ラック１０で対象物の光合成や呼吸量に応じて栽培ラック１０内の換気を効果的に行うことができる。
【００８８】
その結果、所定方向に複数配列された栽培ラック内で酸素と二酸化炭素の偏りが生ずるのを効果的に抑制することが可能な風力装置およびこのような風力装置を備えた生育システムを提供することができる。
【００８９】
なお、上述した実施形態１の風力装置１００は、送風機移動経路Ａｍが１つの往復区間Ｒｓのみを含む場合を示したが、送風機移動経路は２つ以上の往復区間を含んでいてもよく、以下の実施形態２では、送風機移動経路Ａｍが２つの往復期間Ｒｓ１、Ｒｓ２を含む場合を説明する。
【００９０】
（実施形態２）
図６および図７はそれぞれ、本発明の実施形態２による風力装置２００および生育システム１２００を説明するための図であり、図６は、風力装置２００を備えた生育システム１２００の外観を示し、図７（ａ）は、図６のＡ方向から見た生育システム１２００の構造を示し、図７（ｂ）は、図６のＢ方向から見た生育システム１２００の構造を示す。
【００９１】
この実施形態２の風力装置２００は、実施形態１の風力装置１００における１つの往復区間Ｒｓを有する送風機移動経路Ａｍを、２つの往復区間（すなわち、第１の往復区間Ｒｓ１および第２の往復区間Ｒｓ２）を含む送風機移動経路Ａｍとしたものであり、この風力装置２００は、実施形態１の１つの移動手段１２０に代えて、第１の往復区間Ｒｓ１を往復移動する第１の移動手段２２０ａと、第２の往復区間Ｒｓ２を往復移動する第２の移動手段２２０ａとを備えたものである。
【００９２】
この風力装置２００では、ガイドレール１１０は、中間部分に第１の移動手段２２０ａおよび第２の移動手段２２０ｂの移動を規制する移動規制片２１１が配置されており、ガイドレール１１０が移動規制片２１１により、第１の往復区間Ｒｓ１と第２の往復区間Ｒｓ２とに区分されている。ここでは、第１の往復区間Ｒｓ１の長さは、第２の往復区間Ｒｓ２の長さより長く、また、第１の移動手段２２０ａの移動速度と第２の移動手段２２０ｂの移動速度とは略等しい一定速度に調整されている。その結果、第１の往復区間Ｒｓ１での第１の移動手段２２０ａの往復周期は、第２の往復区間Ｒｓ２での第２の移動手段２２０ｂの往復周期よりも長くなっている。その理由は、ラック移動経路Ｐｍのうちの第１の往復区間Ｒｓ１に相当する上流側部分を移動する栽培ラック１０では、ラック移動経路Ｐｍのうちの第２の往復区間Ｒｓ２に相当する下流側部分を移動する栽培ラック１０に比べて、二酸化炭素の消費および酸素の排出を伴う光合成の量や、二酸化炭素の排出および酸素の消費を伴う呼吸量が少ないからである。
【００９３】
なお、第１の往復区間Ｒｓ１の長さは、第２の往復区間Ｒｓ２の長さと略等しくしてもよい。その場合、第２の移動手段２２０ｂの移動速度を第１の移動手段２２０ａの移動速度より速くなるように調整することにより、第１の往復区間Ｒｓ１での第１の移動手段２２０ａの往復周期を、第２の往復区間Ｒｓ２での第２の移動手段２２０ｂの往復周期よりも長くすることができる。
【００９４】
ここでは、第１の移動手段２２０ａは、ガイドレール１１０の第１の往復区間Ｒｓ１を往復移動する摺動部材２２１ａと、摺動部材２２１ａに固定された支持部材２２２ａとを有し、支持部材２２２ａには、２つの送風機２３１ａ、２３２ａが上下に取り付けられている。第２の移動手段２２０ｂも第１の移動手段２２０ａと同様、摺動部材２２１ｂと支持部材２２２ｂとを有し、支持部材２２２ｂには、２つの送風機２３１ｂ、２３２ｂが上下に取り付けられている。また、第１の移動手段２２０ａおよび第２の移動手段２２０ｂはいずれも、実施形態１の移動手段１２０における車輪２１、２２、駆動モータ２３、センサ２４、および制御部２５の各部に相当するものを有している。各移動手段２２０ａ、２２０ｂの制御部では、風力装置２００の操作部２６からの操作信号を受信するように構成されている。
【００９５】
このような構成の実施形態２の風力装置２００を備えた生育システム１２００では、実施形態１の生育システム１１００と同様、栽培ラック１０がラック移動経路Ｐｍをその始点から終点に向かって移動する間に、風力装置２００の２つの移動手段２２０ａ、２２０ｂがガイドレール１１０上に沿って移動する。
【００９６】
ただし、この実施形態２の生育システム１２００では、第１の移動手段２２０ａは、送風機移動経路Ａｍに配置されたガイドレール１１０の第１の往復区間Ｒｓ１でのみ往復移動し、第２の移動手段２２０ａは、送風機移動経路Ａｍに配置されたガイドレール１１０の第２の往復区間Ｒｓ２でのみ往復移動する。
【００９７】
ここでは、第１の移動手段２２０ａおよび第２の移動手段２２０ｂの移動速度は同じであるが、第１の移動手段２２０ａが往復する第１の往復区間Ｒｓ１は第２の移動手段２２０ｂが往復する第２の往復区間Ｒｓ２よりも長いので、送風機移動経路Ａｍのうちのラック移動経路Ｐｍの上流側に対応する部分（第１の往復区間Ｒｓ１）では、送風機移動経路Ａｍのうちのラック移動経路Ｐｍの下流側に対応する部分（第２の往復区間Ｒｓ２）に比べて、送風機が通過する頻度が少なくなる。
【００９８】
これにより、複数の栽培ラック１０を成育領域内で順次移動させながら対象物の栽培を行う場合に、栽培ラック１０の換気を、対象物の成長段階に合わせて効果的に行うことが可能となる。
【００９９】
なお、上述した実施形態１、２の生育システム１１００、１２００では、成育領域Ｒｐ内で複数の栽培ラック１０がラック移動経路Ｐｍを一列に並んで移動する場合を示したが、生育システムは、複数の栽培ラック１０がラック移動経路Ｐｍを複数列に並んで移動するものでもよく、以下の実施形態３では、複数の栽培ラック１０がラック移動経路Ｐｍを２列に並んで移動する生育システムおよびこのような生育システムで用いられる風力装置を説明する。
【０１００】
（実施形態３）
図８〜図１０はそれぞれ、本発明の実施形態３による風力装置３００および生育システム１３００を説明するための図であり、図８は、風力装置３００を備えた生育システム１３００の外観を示し、図９は、図８のＡ方向から見た生育システム１３００の構造を示し、図１０は、図８のＢ方向から見た生育システム１３００の構造を示す。
【０１０１】
この実施形態３の風力装置３００は、送風機移動経路Ａｍの片側にのみ風Ｗを吹き出す実施形態１の風力装置１００の構成を、送風機移動経路Ａｍの両側に風Ｗを吹き出す構成としたものであり、このような構成の風力装置３００は、図８〜図１０に示されるように、複数の栽培ラック１０が成育領域Ｒｐ内でラック移動経路Ｐｍを２列に並んで移動する生育システム１３００で用いられる。
【０１０２】
すなわち、この風力装置３００が用いられる生育システム１３００は、栽培ラック１０が２列に並んでラック移動経路Ｐｍを移動するように構成されており、風力装置３００は、２列に並ぶ一対の列の栽培ラック１０の間に設定されている送風機移動経路Ａｍで往復移動するように構成されている。
【０１０３】
以下、風力装置３００の構成を詳しく説明する。
【０１０４】
風力装置３００は、ガイドレール１１０と、ガイドレール１１０上を移動する移動手段３２０と、移動手段３２０により移動させられる４つの送風機３３１ａ、３３２ａ、３３１ｂ、３３２ｂとを有している。
【０１０５】
ここで、ガイドレール１１０は、２列に並んでラック移動経路Ｐｍを移動する一対の栽培ラック１０の列の間の送風機移動経路Ａｍに配置されており、移動手段３２０は、送風機移動経路Ａｍにわたって往復移動可能となっている。
【０１０６】
移動手段３２０は、ガイドレール１１０上を移動可能な摺動部材３２１と、摺動部材３２１に取り付けられた一対の支持部材３２２ａ、３２２ｂとを有している。
【０１０７】
一方の支持部材３２２ａには、２つの送風機３３１ａ、３３２ａで発生した風Ｗが、２列のうちの一方の列の栽培ラック１０に収容されている対象物に提供されるように２つの送風機３３１ａ、３３２ａが上下に並べて取り付けられている。他方の支持部材３２２ｂには、２つの送風機３３１ｂ、３３２ｂで発生した風Ｗが、２列のうちの他方の列の栽培ラック１０に収容されている対象物に提供されるように２つの送風機３３１ｂ、３３２ｂが上下に並べて取り付けられている。これらの４つの送風機３３１ａ、３３２ａ、３３１ｂ、３３２ｂの構成は、実施形態１の風力装置１００における送風機１３１、１３２と同じである。
【０１０８】
また、この生育システム１３００で用いられている栽培ラック１０も、実施形態１の生育システム１１００で用いられている栽培ラック１０と同一のものである。
【０１０９】
このような構成の実施形態３の風力装置３００を備えた生育システム１３００では、対象物（例えば、植物、果物の種）がまかれた複数の栽培容器１を収容した栽培ラック１０が順次成育領域（栽培工場の建屋など）Ｒｐ内に導入されると、栽培ラック１０は２列に並んでラック移動経路Ｐｍを移動する。
【０１１０】
この生育システム１３００では、２列に並んでラック移動経路Ｐｍを移動する一対の栽培ラック１０の列の間を風力装置３００の移動手段３２０が図９に示すように往復移動する。
【０１１１】
この風力装置３００では、摺動部材３２１には一対の支持部材３２２ａおよび３２２ｂが取り付けられており、一方の支持部材３２２ａには、２列に並ぶ栽培ラック１０の一方の列の栽培ラック１０に風Ｗを送る送風機３３１ａ、３３２ａが取り付けられ、他方の支持部材３２２ｂには、２列に並ぶ栽培ラック１０の他方の列の栽培ラック１０に風Ｗを送る送風機３３１ｂ、３３２ｂが取り付けられている。
【０１１２】
このため、２列に並んでラック移動経路Ｐｍを移動する栽培ラック１０の一対の列の間を移動手段３２０が移動することで、移動手段３２０の両側に位置する栽培ラック１０に収容されている対象物に同時に風Ｗを提供することができる。
【０１１３】
このため、実施形態３の風力装置３００は、複数の栽培ラック１０が２列に並んでラック移動経路Ｐｍを移動するように構成されている生育システム１３００においても、栽培ラック１０に収納されている対象物への風Ｗの提供を効率よく行うことができる。
【０１１４】
なお、実施形態３では、風力装置３００として、２列に並んで移動する一対の列の一方側の列の栽培ラックへの送風を行う一方側の送風機と、他方側の列の栽培ラックへの送風を行う他方側の送風機とが一体として送風機移動経路Ａｍに沿って移動するものを示したが、２列に並んで移動する栽培ラック１０の両方の列の栽培ラック１０に風を提供する風力装置は、一方側の列の栽培ラックへの送風を行う一方側の送風機と、他方側の列の栽培ラックへの送風を行う他方側の送風機とが、独立して送風機移動経路Ａｍに沿って移動するものでもよく、以下の実施形態３の変形例ではこのような構成の風力装置を説明する。
【０１１５】
（実施形態３の変形例）
図１１〜図１３はそれぞれ、図８に示す風力装置３００の変形例（風力装置３００ａ）および生育システム１３００の変形例（生育システム１３００ａ）を説明するための図であり、図１１は、風力装置３００ａを備えた生育システム１３００ａの外観を示し、図１２は、図１１のＡ方向から見た栽培システム１３００ａの構造を示し、図１３は、図１１のＢ方向から見た生育システム１３００ａの構造を示す。
【０１１６】
実施形態３の変形例の風力装置３００ａは、実施形態３の風力装置３００における１つの移動手段３２０に代えて２つの移動手段３２０ａ、３２０ｂを備え、４つの送風機のうちの２つの送風機ともう２つの送風機とを独立して移動可能な構成としたものである。
【０１１７】
すなわち、風力装置３００ａは、図１１〜図１３に示すように、２列に並ぶ栽培ラック１０の一対の列の間の送風機移動経路Ａｍに沿って配置されたガイドレール３１０と、ガイドレール３１０上を移動する２つの移動手段３２０ａ、３２０ｂと、一方の移動手段３２０ａにより移動させられる２つの送風機３３１ａ、３３２ａと、他方の移動手段３２０ｂにより移動させられる２つの送風機３３１ｂ、３３２ｂとを有している。
【０１１８】
この風力装置３００のガイドレール３１０上では、２つの移動手段３２０ａ、３２０ｂがすれ違い可能であり、しかも、２つの移動手段３２０ａ、３２０ｂのいずれもが送風機移動経路Ａｍの端から端まで移動可能である。
【０１１９】
一方の移動手段３２０ａは、摺動部材３２１ａと、摺動部材３２１ａに取り付けられた支持部材３２２ａとを有し、摺動部材３２１ａは、２列に並ぶ栽培ラック１０の一対の列の間に配置されたガイドレール３１０上を、一対の列の一方の列の栽培ラック１０に近接して移動可能となるようにガイドレール３１０に取り付けられている。
【０１２０】
この摺動部材３２１ａには支持部材３２２ａが固定されており、支持部材３２２ａには一対の列のうちの一方の列の栽培ラック１０に収容されている対象物に風Ｗが提供されるように２つの送風機３３１ａ、３３２ａが上下に並べて取り付けられている。
【０１２１】
他方の移動手段３２０ｂは、摺動部材３２１ｂと、摺動部材３２１ｂに取り付けられた支持部材３２２ｂとを有し、摺動部材３２１ｂは、ガイドレール３１０上を一対の列の他方の列の栽培ラック１０に近接して移動可能となるようにガイドレール３１０に取り付けられている。
【０１２２】
この摺動部材３２１ｂには支持部材３２２ｂが固定されており、支持部材３２２ｂには一対の列のうちの他方の列の栽培ラック１０に収容されている対象物に風Ｗが提供されるように２つの送風機３３１ｂ、３３２ｂが上下に並べて取り付けられている。
【０１２３】
この実施形態３の変形例の風力装置３００ａにおけるその他の構成は、実施形態３の風力装置３００におけるものと同じである。
【０１２４】
このような構成の風力装置３００ａを備えた生育システム１３００ａでは、２列に並んでラック移動経路Ｐｍを移動する一対の栽培ラック１０の列の間を２つの移動手段３２０ａおよび３２０ｂが図１２に示すように独立して往復移動する。
【０１２５】
さらに、一方の移動手段３２０ａの摺動部材３２１ａの固定された支持部材３２２ａには、２列に並ぶ栽培ラック１０の一方の列の栽培ラック１０に風Ｗを送る送風機３３１ａ、３３２ａが取り付けられ、また、他方の移動手段３２０ｂの摺動部材３２１ｂに固定された支持部材３２２ｂには、２列に並ぶ栽培ラック１０の他方の列の栽培ラック１０に風Ｗを送る送風機３３１ｂ、３３２ｂが取り付けられている。
【０１２６】
このため、２列に並んでラック移動経路Ｐｍを移動するいずれの列の栽培ラック１０にも、それぞれに対応する移動手段３２０ａおよび３２０ｂに取り付けられている送風機３３１ａ、３３２ａおよび３３１ｂ、３３２ｂから風Ｗを提供することができる。
【０１２７】
このため、実施形態３の変形例の風力装置３００ａは、複数の栽培ラック１０が２列に並んでラック移動経路Ｐｍを移動するように構成されている生育システム１３００ａにおいて、実施形態３の風力装置３００と同様に、栽培ラック１０に収納されている対象物への風の提供を効率よく行うことができる。
【０１２８】
さらに、この実施形態３の変形例の風力装置３００ａでは、２列に並んで移動する栽培ラック１０の一方の列の栽培ラックへの送風を行う一方側の送風機と、他方の列の栽培ラックへの送風を行う他方側の送風機とが、独立して送風機移動経路Ａｍに沿って移動するので、一方の列の栽培ラックと他方の列の栽培ラックとで対象物の成育状態が異なる場合には、一方側の送風機３３１ａ、３３２ａの往復周期と他方側の送風機３３１ｂ、３３２ｂとを独立して調整することができ、それぞれの列の栽培ラック１０での対象物の成育状況に合わせた換気を行うことができる。
【０１２９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【０１３０】
本発明は、所定方向に複数配列された生育部内で空気と二酸化炭素の偏りが生ずるのを効果的に抑制することが可能な風力装置およびこのような風力装置を備えた生育システムを得ることができるものとして有用である。
【符号の説明】
【０１３１】
１０  生育部（栽培ラック）
１００、１００ａ、２００、３００、３００ａ  風力装置
１２０、２２０ａ、２２０ｂ、３２０、３２０ａ、３２０ｂ  移動手段
１３１、１３１ａ、１３２、１３２ａ、１３３ａ、１３４ａ、２３１ａ、２３１ｂ、２３２ａ、２３２ｂ、３３１ａ、３３１ｂ、３３２ａ、３３２ｂ  送風機
１１００、１２００、１３００，１３００ａ  生育システム
Ａｍ  送風機移動経路
Ｄｍ  所定方向
Ｒｓ  往復期間
Ｒｓ１  第１の往復区間
Ｒｓ２  第２の往復区間
【要約】
【課題】本発明の課題は、所定方向に複数配列された生育部で空気と二酸化炭素の偏りが生ずるのを効果的に抑制することが可能な風力装置およびこのような風力装置を備えた栽培システムを得ることである。
【解決手段】本発明の風力装置１００は、所定方向Ｄｍに沿って複数配置された生育部１０で生育される対象物に風を提供する風力装置であって、所定方向Ｄｍに沿って、移動経路Ａｍにわたって往復移動が可能な移動手段１２０であって、往復移動の周期が調整可能に構成されている、移動手段１２０と、移動手段１２０に従って移動するように構成された１以上の送風機１３１、１３２とを備える。
【選択図】図１【図１】
0006851098.tif 000002
【図２】
0006851098.tif 000003
【図３】
0006851098.tif 000004
【図４】
0006851098.tif 000005
【図５】
0006851098.tif 000006
【図６】
0006851098.tif 000007
【図７】
0006851098.tif 000008
【図８】
0006851098.tif 000009
【図９】
0006851098.tif 000010
【図１０】
0006851098.tif 000011
【図１１】
0006851098.tif 000012
【図１２】
0006851098.tif 000013
【図１３】
0006851098.tif 000014